(57)【特許請求の範囲】
【請求項１】
Ｔ.30伝送制御手順およびＶ.34伝送制御手順の両方に対応可能なＧ３伝送制御手順に従ってファクシミリ通信を行うファクシミリ装置において、マニュアル交信時にファクシミリ通信へ移行する際にはＴ.30伝送制御手順を起動し、マニュアル交信時でないファクシミリ通信起動の際にはＶ.34伝送制御手順のＶ.８シーケンスを起動する制御手順選択手段を備えたことを特徴とするファクシミリ装置。
【請求項２】
Ｔ.30伝送制御手順およびＶ.34伝送制御手順の両方に対応可能なＧ３伝送制御手順に従ってファクシミリ通信を行うファクシミリ装置において、マニュアル発呼で且つ画情報を受信する場合、またはマニュアル着呼で且つ画情報を送信する場合にはＴ.30伝送制御手順を起動し、上記以外の場合にはＶ.34伝送制御手順のＶ.８シーケンスを起動する制御手順選択手段を備えたことを特徴とするファクシミリ装置。
【発明の詳細な説明】
【０００１】
【発明の属する技術分野】
本発明は、従来よりＧ３伝送制御手順として使用されていたＴ.30 伝送制御手順と、上記Ｇ３伝送制御手順を補完して汎用性を高めたＶ.34 伝送制御手順との両方に対応可能なファクシミリ装置に係り、特に上記二つの伝送制御手順を使い分けマニュアル発着呼時のファクシミリ通信にも対応できるようにしたファクシミリ装置に関する。
【０００２】
【従来の技術】
近年、Ｇ３伝送制御手順として使用されていたＴ.30 伝送制御手順を補完する、より汎用性が高められた構造のＶ.34 伝送制御手順が標準伝送制御手順として提供された。例えば、このＶ.34 伝送制御手順では画情報伝送の途中で、画情報送信側からはもちろん、画情報受信側からも伝送速度の変更を行うことができる。また、従来よりも高速なファクシミリ通信が可能である。
【０００３】
【発明が解決しようとする課題】
しかしながら、上記のＶ.34 伝送制御手順によったファクシミリ通信では、ファクシミリ装置に付属した電話機をオフフックして通常の電話機で行うように発呼をし、通話を行うマニュアル交信状態から、回線を切断することなく着呼側がファクシミリ送信に移行し、発呼側がファクシミリ受信に移行するという動作が勧告（標準規約）上の制約で不可能である。また、このような制約に対応する技術も提供されていない。
本発明の課題は、上記のような従来の技術の問題を解決し、通常はＶ.34 伝送制御手順によってファクシミリ通信を行っている状況下でも、マニュアル交信状態から着呼側がファクシミリ送信に移行し、発呼側がファクシミリ受信に移行することを可能にするファクシミリ装置を提供することにある。
【０００４】
【課題を解決するための手段】
上記の課題を解決するために、請求項１記載の発明では、Ｔ.30伝送制御手順およびＶ.34伝送制御手順の両方に対応可能なＧ３伝送制御手順に従ってファクシミリ通信を行うファクシミリ装置において、マニュアル交信時のファクシミリ通信への移行にはＴ.30伝送制御手順を起動し、マニュアル交信時でないファクシミリ通信起動の際にはＶ.34伝送制御手順のＶ.８シーケンスを起動する制御手順選択手段を備えた。また、請求項２記載の発明では、Ｔ.30伝送制御手順およびＶ.34伝送制御手順の両方に対応可能なＧ３伝送制御手順に従ってファクシミリ通信を行うファクシミリ装置において、マニュアル発呼で且つ画情報を受信する場合、またはマニュアル着呼で且つ画情報を送信する場合にはＴ.30伝送制御手順を起動し、上記以外の場合にはＶ.34伝送制御手順のＶ.８シーケンスを起動する制御手順選択手段を備えた。
【０００６】
【作用】
上記のような構成にしたので、請求項１記載の発明では、マニュアル交信時におけるファクシミリ通信への移行の際にはＴ.30伝送制御手順が起動され、マニュアル交信時でないファクシミリ通信起動の際にはＶ.34伝送制御手順のＶ.８シーケンスが起動される。
請求項２記載の発明では、マニュアル発呼で且つ画情報を受信する場合、またはマニュアル着呼で且つ画情報を送信する場合にはＴ.30伝送制御手順が起動され、上記以外の場合にはＶ.34伝送制御手順のＶ.８シーケンスが起動される。
【０００７】
【発明の実施の形態】
以下、図面により本発明の実施の形態を詳細に説明する。
図１は本発明に係るファクシミリ装置の実施の形態の一例を示す構成ブロック図である。図示したように、このファクシミリ装置は、内蔵されたプログラムに従って装置全体を管理、制御する制御部１、操作者がファクシミリ装置に指示を与えるためのキーボードおよびファクシミリ装置が操作者にメッセージ等を与えるための表示手段などから成る操作表示部２、画情報などを一時的に格納しておくＲＡＭ３、原稿上の画像を読み取るスキャナ４、符号化復号化部（ＤＣＲ）８によって復号化された受信画情報をＲＡＭ３を介して出力するプロッタ５、公衆電話網を介して遠隔のファクシミリ装置との間に呼を設定するための網制御装置（ＮＣＵ）６、補完手順を有するＧ３伝送制御手順に従ってファクシミリ送受信を行う通信制御部７、Ｖ．３４モデムなどを内蔵したモデム９、画情報を蓄積しておく画像メモリ10、制御情報を記憶しておき電源遮断時のためにバッテリでバックアップされたパラメータメモリ11などを備えている。
上記制御部１は、装置全体を統括管理し、且つ、後述するように制御手順選択手段、非標準手順実行手段、手段選択手段、等として機能する。なお、制御手順選択手段、非標準手順実行手段、および手段選択手段はＣＰＵ、およびプログラムを内蔵したＲＯＭから構成される。
【０００８】
図２および図３に、本発明の実施の形態において実施されるＧ３伝送制御手順の補完手順としてのＶ.34 伝送制御手順の基本的なシーケンスを示す。なお、図２はＶ.34 伝送制御手順のフェーズ１からフェーズ４までを示している。フェーズ１ではＶ. ８シーケンス、フェーズ２ではラインプロービング、フェーズ３ではイコライザトレーニング、フェーズ４ではスタートアップを行う。上記フェーズ２のラインプロービングでは特定パターンの信号を伝送した通信結果からシンボル速度の決定を行い、フェーズ３のイコライザトレーニングではそのとき行われたトレーニング結果から伝送速度の決定を行い、フェーズ４のスタートアップでは伝送速度のシフトアップまたはシフトダウンを相手側に示すことにより伝送速度の変更を行う。
図３に示したＶ.34 伝送制御手順は図２に示したＶ.34 伝送制御手順の続きで、フェーズ５のコントロールチャネル制御とフェーズ６のプライマリチャネルのシーケンスを示している。なお、フェーズ１のＣＮＧ信号、フェーズ５のＤＩＳ信号、ＣＳＩ信号、ＮＳＦ信号、ＴＳＩ信号、ＤＣＳ信号、ＣＦＲ信号、およびフェーズ６のＰＩＸ（画情報）信号、ＥＯＰ信号、ＭＣＦ信号、ＤＣＮ信号はこれまでのＧ３伝送制御手順に示されている信号である。
上記のようなファクシミリ装置において、本発明の第１の実施の形態の制御部１は、マニュアル交信時のファクシミリ通信起動の際にはＴ.30 伝送制御手順を起動し、マニュアル交信時でないファクシミリ通信起動の際にはＶ.34 伝送制御手順のＶ. ８シーケンスを起動する制御手順選択手段を有する。なお、上記制御手順選択手段はＣＰＵおよびプログラムを内蔵したＲＯＭなどから構成される。
【０００９】
図４は本発明の第１の実施の形態における処理動作の一例を示すフロー図である。以下、図４などに従って、第１の実施の形態の動作を説明する。
第１の実施の形態では、図４に示すように、まず、ファクシミリ送受信が起動される（Ｓ１）。つまり、電話機がオフフックされた状態のマニュアル交信時でなければ、利用者が操作表示部２から指示することによりファクシミリ通信のための発呼動作が起動され、回線からの信号受信で着呼動作が起動される。また、マニュアル交信時であれば、発呼側（マニュアル発呼側）は回線からの信号受信および利用者からの送信または受信指示でファクシミリ送信処理または受信処理が起動され、着呼側（マニュアル着呼側）は利用者の指示でファクシミリ通信が起動される。
【００１０】
そこで、制御手順選択手段（制御部１）は、ステップＳ１における起動内容から、まずその送受信起動がマニュアル発呼時の送受信起動か否かを判定する（Ｓ２）。そして、マニュアル発呼時の送受信起動であれば（Ｓ２でＹｅｓ）、Ｔ.30 シーケンス（従来のＧ３伝送制御手順）を起動させる（Ｓ５）。つまり、相手ファクシミリ装置からのＣＥＤ信号監視状態に入る。
それに対して、マニュアル発呼時の送受信起動でないならば（Ｓ２でＮｏ）、マニュアル着呼時の送受信起動か否かを判定する（Ｓ３）。そして、マニュアル着呼時の送受信起動であれば（Ｓ３でＹｅｓ）、Ｔ.30 シーケンスを起動させる（Ｓ５）。つまり、相手ファクシミリ装置へＣＥＤ信号を送信する。また、マニュアル着呼時の送受信起動でなければ（Ｓ３でＮｏ）、Ｖ.34 伝送制御手順の発呼側または着呼側Ｖ. ８シーケンス（フェーズ１）を起動させる（Ｓ４）（図２参照）。
こうして、この第１の実施の形態によれば、マニュアル交信時のファクシミリ通信への移行に際してはＴ.30 伝送制御手順（シーケンス）を起動することによりマニュアル交信（通話）状態からファクシミリ通信への移行を可能にさせ、マニュアル交信時でないファクシミリ通信起動の際には、Ｖ.34 伝送制御手順のＶ. ８シーケンスを起動することによりＶ.34 伝送制御手順による高速通信などを可能にしている。
【００１１】
図５は本発明の第２の実施の形態における処理動作の一例を示すフロー図である。この第２の実施の形態のファクシミリ装置では、マニュアル交信時の条件を細分化して、本当にＶ. ８シーケンスではファクシミリ通信に移行できないマニュアル発呼で且つ画情報を受信する場合およびマニュアル着呼で且つ画情報を送信する場合のみＴ.30 シーケンスを起動し、その他の場合はＶ. ８シーケンスを起動するようにしている。すなわち、この第２の実施の形態では、制御部１が請求項２に示す制御手順選択手段として機能する。
図５に示すように、制御手順選択手段（制御部１）は、ファクシミリ送受信が起動されると（Ｓ11）、前記ステップＳ２と同様にしてマニュアル発呼時の送受信起動か否かを判定し（Ｓ12）、マニュアル発呼時の起動であれば（Ｓ12でＹｅｓ）、利用者の指示を取得することにより画情報受信側か否かを判定する（Ｓ13）。そして、画情報受信側であれば（Ｓ13でＹｅｓ）、Ｔ.30 シーケンスを起動する（Ｓ17）。
それに対して、マニュアル発呼時の起動でない場合（Ｓ12でＮｏ）およびマニュアル発呼時の起動だが画情報受信側でない場合は（Ｓ13でＮｏ）、続いてマニュアル着呼時の送受信起動か否かを判定する（Ｓ14）。そして、マニュアル着呼時の起動であれば（Ｓ14でＹｅｓ）、受信信号あるいは利用者が操作表示部から指示した内容より画情報送信側か否かを判定する（Ｓ15）。
この結果、上記ステップＳ15の判定が画情報送信側ということであれば（Ｓ15でＹｅｓ）Ｔ.30 シーケンスを起動する（Ｓ17）。それに対して、マニュアル着呼時の起動でない場合（Ｓ14でＮｏ）および画情報送信側でない場合（Ｓ15でＮｏ）はＶ. ８シーケンスを起動する（Ｓ16）。
このようにして、第２の実施の形態によれば、マニュアル交信状態からファクシミリ通信に移行できるだけでなく、Ｖ. ８シーケンスで起動する機会が増加し、したがってＶ.34 伝送制御手順の高速伝送などを利用できる機会が増加する。
【００１２】
次に、本発明の第３の実施の形態では、図６に示すようにＶ.34伝送制御手順のＶ.８シーケンスに独自のシーケンスを加えてマニュアル発呼で且つ画情報受信側の場合およびマニュアル着呼で且つ画情報送信側の場合もＶ.８シーケンスの起動を可能にする。すなわち、この第３の実施の形態では、制御部１が非標準手順実行手段として機能する。図６に示すように、この第３の実施の形態では、サイドＡ（発呼側の装置）からサイドＢ（相手側の装置）へマニュアル発着呼を行い、通話（会話）を行った後、発呼側において非標準のＶ.８シーケンスの受信側の制御手順をスタートさせる。つまり、まずＡＮＳａｍ信号をサイドＢへ送信し、続いてＶ.８シーケンスを備えている旨の情報を設定したＤＩＳ信号を送信する。このＤＩＳ信号はＴ.30シーケンスの信号で、図示の例では、所定の時間内に相手側からの信号を受信しなかったのでＤＩＳ信号を２回送信した場合で示している。
【００１３】
サイドＢも本発明の第３の実施の形態のファクシミリ装置であり、通話状態でＤＩＳ信号を検出（受信）したならばＣＩ信号を送信してみる。そして、サイドＡはこのＣＩ信号を検出したらそのままＶ. ８シーケンスを進めＡＮＳａｍ信号を送信する（図２のＲｘ側参照）。サイドＢはこのＡＮＳａｍ信号を検出したらＣＭ信号を送信してみる。
こうして、サイドＡは、ＣＭ信号を受信するとそのままＶ. ８シーケンスに入りＪＭ信号を送信するが、もしもＣＩ信号およびまたはＣＭ信号を検出しなければサイドＢがＴ.30 シーケンスによって交信していると判断し、Ｔ.30 シーケンスを起動する。
また、サイドＢではＪＭ信号を検出するとそのままＶ. ８シーケンスを進めるが、サイドＡからのＤＩＳ信号（Ｖ. なし）、ＣＥＤ信号などＴ.30 シーケンスの信号を検出すると、Ｔ.30 シーケンスを起動する。
したがって、この第３の実施の形態によれば、マニュアル交信のいずれの場合もＶ. ８シーケンスを起動でき、Ｖ.34 伝送制御手順による高速通信などを実現できる。
【００１４】
次に、本発明の第４の実施の形態では、制御部１が、第１の実施の形態で示した制御手順選択手段（第１の制御手順選択手段）、第２の実施の形態で示した制御手順選択手段（第２の制御手順選択手段）、及び第３の実施の形態で示した非標準Ｖ.34伝送制御手順を実行させる非標準手順実行手段として機能することにより、上記の三つのうちのいずれか所望の方法でマニュアル交信時のファクシミリ通信起動を実行できるようにする。そして更に、制御部１が手段選択手段として機能することにより、上記のいずれかの選択を行う。例えば、操作表示部２に主メニューとして「通信手順選択」を表示させ、このメニューが選択されると、図７に示すようなサブメニューを操作表示部２に表示させることにより、利用者にいずれか一つを選択させる。そして、利用者がそのいずれかを指示すると、手段選択手段は指示された項目を示す情報をパラメータメモリ11の所定領域に記憶する。そして、その後、電源投入時の初期化処理の際などに上記所定領域を参照し、指定された手段、つまり第１の制御手順選択手段、第２の制御手順選択手段、非標準手順実行手段のうちの一つを起動する。したがって、通信が発生すると、起動されている一つの手順選択手段または非標準手順実行手段により前記第１〜第３の実施の形態で説明したような伝送制御手順が実行される。このように、第４の実施の形態によれば、利用者が所望の制御手順実行方法を選択できるので、状況に整合したファクシミリ通信ができる。
【００１５】
【発明の効果】
以上説明したように、請求項１記載の発明では、マニュアル交信時におけるファクシミリ通信への移行の際にはＴ.30 伝送制御手順が起動され、マニュアル交信時でないファクシミリ通信起動の際にはＶ.34 伝送制御手順のＶ. ８シーケンスが起動されるので、効率的なマニュアル交信とＶ.34 伝送制御手順による高速伝送などが可能になる。
また、請求項２記載の発明では、マニュアル発呼で且つ画情報を受信する場合、またはマニュアル着呼で且つ画情報を送信する場合にはＴ.30 伝送制御手順が起動され、上記以外の場合にはＶ.34 伝送制御手順のＶ. ８シーケンスが起動されるので、効率的なマニュアル交信と高速伝送などが可能になると共に、上記の高速伝送などを利用できる機会が増える。
【図面の簡単な説明】
【図１】本発明に係るファクシミリ装置の実施の形態の一例を示す構成ブロック図である。
【図２】本発明の実施の形態において実施されるＧ３伝送制御手順の補完手順としてのＶ.34 伝送制御手順の基本的なシーケンス図である。
【図３】図２のＶ.34 伝送制御手順の続きを示すシーケンス図である。
【図４】本発明の第１の実施の形態における処理動作の一例を示すフロー図である。
【図５】本発明の第２の実施の形態における処理動作の一例を示すフロー図である。
【図６】本発明の第３の実施の形態における処理動作の一例を示すフロー図である。
【図７】本発明の第４の実施の形態における処理動作の一例を示すフロー図である。
【符号の説明】
１  制御部（制御手順選択手段、非標準手順実行手段、手段選択手段）、３  ＲＡＭ、７  通信制御部、９  モデム、11  パラメータメモリ
【図１】
0003640225.tif 000002
【図２】
0003640225.tif 000003
【図３】
0003640225.tif 000004
【図４】
0003640225.tif 000005
【図５】
0003640225.tif 000006
【図６】
0003640225.tif 000007
【図７】
0003640225.tif 000008